(57)【要約】【課題】従来技術による分度盤付きゲージがその使用上不便である点を考慮して、種々の凝らして熟練を要せず短時間で釘角度の測定・調整の可能。【解決手段】支持脚、分度盤、スライド体自体の改良、釘角度の精密測定のために支持脚、分度盤、スライド体間の連結・相互関連の見直し等の構造に種々の工夫を凝らすこと。【選択図】図３
2008012338.tif 000002
【特許請求の範囲】
【請求項１】
長方形の基板と、該基板の片側端部に該基板と同一平面上に連設した円周に沿って度数目盛を表示した分度盤と、該分度盤の下部中心位置に設けた回動ピンを支点として指針アームと連設した回動自在な支持脚Ａと、該分度盤と反対方向に該基板の他端部に直角に連設した支持脚Ｂとから構成され、両支持脚Ａ、Ｂの脚部自体が角度測定面を構成するように矩形状であり、その上下側面及び／又はその表裏面で角度測定が可能となるパチンコ釘角度測定ゲージであって、該指針アームの先端は分度盤の度数目盛を指す指針となり、両支持脚Ａ、Ｂとは基板とパチンコ盤面とが平行となるように互いに協同して水平を構成でき、両支持脚Ａ、Ｂの長さがパチンコ盤面に植設されたパチンコ釘の高さより長く、更に、支持脚Ｂを一体に又は別体に取り付けた組立式スライド体を基板に設けたことを特徴とするパチンコ釘角度測定ゲージ。
【請求項２】
組立式スライド体を基板に嵌挿して設けたことを特徴とする請求項１記載のパチンコ釘角度測定ゲージ。
【請求項３】
組立式スライド体の支持脚Ｂが上下にスライド可能に又は回動自在に構成されることを特徴とする請求項１又は２記載のパチンコ釘角度測定ゲージ。
【請求項４】
支持脚が、更に基板及び／又は支持脚の途中にも設けられることを特徴とする請求項１〜３のいずれかに記載のパチンコ釘角度測定ゲージ。
【請求項５】
分度盤が半円状、三角状、円状のいずれかであることを特徴とする請求項１〜４のいずれかに記載のパチンコ釘角度測定ゲージ。
【請求項６】
組立式スライド体なしに、支持脚Ｂ自体が基板内の直線状溝を介して上下にスライド可能に構成させることを特徴とする請求項１〜５のいずれかに記載のパチンコ釘角度測定ゲージ。
【請求項７】
支持脚Ａ、Ｂ間を一定長のロッドで連結して該支持脚Ａ，Ｂの動きを連動させることを特徴とする請求項１〜６のいずれかに記載のパチンコ釘角度測定ゲージ。
【請求項８】
指針アームと連設する支持脚が該支持脚中のスリットを介して左右にスライドでき、且つ２つの組立式スライド体と組合わされた支持脚と前記支持脚とが協同してスライドすることにより、常に基板とパチンコ盤面との平行が保てることを特徴とする請求項１〜７のいずれかに記載のパチンコ釘角度測定ゲージ。
【請求項９】
分度盤と基板とが支点ピンによって回動するようにし、且つ分度盤とスライド体とを複数の結合した連結ロッドにより連結させ、且つ基板の他端の支持脚に補正目盛と補正値とが設けらた構成のゲージであって、スライド体の上昇と連動した分度盤の左回りにより指針の誤差を分度盤の回動によって補正でき、基板とパチンコ盤面との平行が保てることを特徴とする請求項１〜８のいずれかに記載のパチンコ釘角度測定ゲージ。
【発明の詳細な説明】
【技術分野】
【０００１】
本発明は、パチンコ機のような各種の遊技機の盤面上に打ち込まれた多数本の釘角度を測定し、盤面上の釘位置によって決められた角度に調整するための遊技機釘角度測定ゲージの改良に関するものである。
【背景技術】
【０００２】
大衆の遊戯娯楽機としては種々のものが提供されているが、最も大衆に親しまれ、楽しまれている遊技機としてパチンコがあり、駅の周辺や商店街等の繁華街では多数のパチンコ店が営業している。
パチンコは、遊戯玉を打ち、入賞すると決められた遊戯玉が遊戯者（客）に還元され、遊戯玉の数によって商品が提供され、遊戯者に利益がもたらされるものである。
パチンコ機の盤面には多数本の釘が打ち込まれており、遊戯玉を一定の方向に案内をしたり、入賞口に遊戯玉を誘導するようになっている。通常、釘はパチンコ機メーカーで所定の位置に打たれた状態で出荷されるが、この時点では釘の向きは−定ではなくバラバラの状態である。
【０００３】
このため、各パチンコ店ではパチンコ機の購入後に店の方針に基づいて全ての釘の角度調整を行っている。
更に、店の閉店後或いは開店前に必要な箇所の釘の角度調整を行い、特に、入賞口に面する釘や入賞口に案内する釘の角度を調整することで各パチンコ機のその日の出球率を制御し、店の利益および客の利益や娯楽性の向上を計っている。
パチンコ機盤面の釘の角度測定や調整は、非常に難しく熟練を要するために通常は釘師と呼ばれる専門家によってなされている。
しかし、近年、釘師の数が少なく、パチンコ店ではその確保に苦慮しているが、熟練を要することなく釘角度を測定し、調整するための角度測定具が提案されている。
例えば、本出願人の調査によれば、特許文献１「パチンコ台釘角度測定器」、特許文献２「パチンコ機の釘角度測定装置」および特許文献３「パチンコ機の釘角度測定冶具」等がある。
また、本出願人の出願に係る特許文献４、５には分度盤付きゲージや分度盤付きスライド体付きゲージが、また特許文献５、６には、角度測定冶具を着脱自在に又は一体に設けた馬蹄形又は樹木形ゲージが夫々知られているが、構造的に未だ不十分であって、使用面などで多くの不自由さが存在していた。
【０００４】
【特許文献１】特開平１０−３００４０４号公報
【特許文献２】特開平０９−１８２８３２号公報
【特許文献３】特開平０９−０９４３２６号公報
【特許文献４】特開２００１−２６９４５０号公報
【特許文献５】特開２００１−０６４１２９号公報
【特許文献６】特開２００１−１２１７３８号公報
【発明の開示】
【発明が解決しようとする課題】
【０００５】
以上の各公知技術は、１°を単位として釘の角度測定が可能であり、各釘は３０°の範囲内で傾斜させることができる。しかし、限定された広さのパチンコ機盤面に多数の釘が打たれているので、釘の間隔は狭く、また、役物が配置してあり、前記した第１の公知技術における「直線辺４やこれと対抗する位置にある対偶辺６」の長さ間隔が大きく、測定すべき釘以外の釘や役物等が邪魔になって効率よく測定ができないものである。
同様にして第２の公知技術では「台座７」の巾間隔が大きいと共に長さが長く、第３の公知技術では「脚部６や当接面７」の巾間隔が大きいと共に長さが長く、特定の釘角度測定には不向きなものであり、所定の角度を確保できないものであった。しかも、総じて構造が複雑であり、限られた空間内での取り扱いが不便なものであった。
【０００６】
本発明は、上記する従来の公知技術の問題点に鑑み、種々の工夫を凝らしたゲージを使用することにより、熟練を要することなく短時間で釘角度を測定し、角度の微調整を可能とした遊技機釘角度測定ゲージの提供を目的とする。
【課題を解決するための手段】
【０００７】
本発明者らは、上記課題について種々検討した結果、従来技術による分度盤付きゲージ、分度盤付きスライド体付きゲージが、また、支持脚の上方側面に角度測定冶具を着脱自在に又は一体に設けた馬蹄形又は樹木形ゲージが、その使用方法の面で不十分である点に鑑みて、構造上の観点から種々の工夫を凝らすことにより、本発明を完成するに至った。
即ち、本発明は；
（１）  長方形の基板と、該基板の片側端部に該基板と同一平面上に連設した円周に沿って度数目盛を表示した分度盤と、該分度盤の下部中心位置に設けた回動ピンを支点として指針アームと連設した回動自在な支持脚Ａと、該分度盤と反対方向に該基板の他端部に直角に連設した支持脚Ｂとから構成され、両支持脚Ａ、Ｂの脚部自体が角度測定面を構成するように矩形状であり、その端部で角度測定が可能となるパチンコ釘角度測定ゲージであって、該指針アームの先端は分度盤の度数目盛を指す指針となり、両支持脚Ａ、Ｂとは基板とパチンコ盤面とが平行となるように互いに協同して水平を構成でき、両支持脚Ａ、Ｂの長さがパチンコ盤面に植設されたパチンコ釘の高さより長く、
更に、支持脚Ｂを一体に又は別体に取り付けた組立式スライド体を基板に設けたパチンコ釘角度測定ゲージを提供する（図３参照）。また、
【０００８】
（２）組立式スライド体を基板に嵌挿して設けた点にも特徴を有する（図３、４参照）。また、
（３）組立式スライド体の支持脚Ｂが上下にスライド可能に（図２２、２３参照）又は回動自在に構成される点にも特徴を有する（図１８、１９参照）。また、
（４）  支持脚が、更に基板及び／又は支持脚の途中にも設けられる点にも特徴を有する（図１４参照）。また、
（５）  分度盤が半円状、三角状（図４２参照）、円状（図１４、１５参照）のいずれかである点にも特徴を有する。また、
（６）  組立式スライド体なしに、支持脚Ｂ自体が基板内の直線状溝を介して上下にスライド可能に構成させる点にも特徴を有する（図２２、２３参照）。また、
（７）  支持脚Ａ、Ｂ間を一定長のロッドで連結して該支持脚Ａ，Ｂの動きを連動させる点にも特徴を有する（図２８参照）。また、
（８）  指針アームと連設する支持脚が該支持脚中のスリットを介して左右にスライドでき、且つ２つの組立式スライド体と組合わされた支持脚と前記支持脚とが協同してスライドすることにより、常に基板とパチンコ盤面との平行が保てる点にも特徴を有する（図４２参照）。また、
（９）  分度盤と基板とが支点ピンによって回動するようにし、且つ分度盤とスライド体とを複数の結合した連結ロッドにより連結させ、且つ基板の他端の支持脚に補正目盛と補正値とが設けらた構成のゲージであって、
スライド体の上昇と連動した分度盤の左回りにより指針の誤差を分度盤の回動によって補正でき、基板とパチンコ盤面との平行が保てる点にも特徴を有する（図４３参照）。
【０００９】
本発明は下記の実施の態様をも包含する。
（１）該角度測定冶具が（イ）楔型、３角柱型、５角柱型、６角柱型、８角柱型等の角柱型、（ロ）円錐型、逆円錐型、円筒型等の丸型、（ハ）へこみ付き４角柱型、へこみ付き６角柱型、へこみ付き８角柱型、へこみ付き１０角柱型、へこみ付き１２角柱型、へこみ付き１４角柱型、へこみ付き１６角柱型、井形状型、隅取り付き２枚組型等の変則角柱型、（ニ）突起型、ピン型、プレート型、嵌挿型、板型（矩形状を含む）、羽根板型、シーソー型、段差型、へこみ型等のその他の型のいずれかであるパチンコ釘角度測定ゲージを提供する（図３５〜４１参照）。また、
（２）着脱自在な角度測定冶具が磁性ゴム等の磁性材料から構成され、ゲージが鉄材等の磁性材料を吸着可能な吸磁性材料から構成される点にも特徴を有する。また、
（３）組立式スライド体に支持脚Ｂを一体に又は別体（図３〜５等参照）に取り付けた点にも特徴を有する。また、
（４）支持脚Ｂを別体に取り付けた組立式スライド体において、支持脚Ｂが上下にスライド可能に又は回動自在に構成される点にも特徴を有する（図１６〜２１参照）。また、
【００１０】
（５）角度測定を精密に行うために、支持脚の下方に釘傘を係止するフック（図８参照）、段差（図３７（ハ）参照）、突起（図３３（チ）参照）、へこみ（凹部）（図３８（ニ）参照）、釘軸合線（図３７（ロ）参照）、支持脚に丸み当接面（図３８（ロ）参照）のいずれかを設ける点にも特徴を有する。また、
（６）指針アームが回動ピンを介してその回動が規制される点にも特徴を有する（図９参照）。
【発明の効果】
【００１１】
（１）本発明のゲージによると、半円形状分度盤３と回動可能に軸支した指針アーム５と支持脚４とを基板２に軸支した馬蹄形ゲージに、その支持脚の両側面及び／又は上下面を釘角度測定面とするか或いは種々の形状の角度測定冶具を一体に又は着脱自在としたので、種々の釘角度に簡単に且つ冶具の取替えを最小限にでき、更に角度測定面の直線とパチンコ機盤面上の釘の直線方向を一致させるだけで傾斜角度の測定が可能となる。
（２）指針アーム５先端の指針７が回動して分度盤３の度数目盛８を指すので、パチンコ盤面に対する上下・左右いずれの方向の角度測定も可能であり、熟練を要することなく釘角度を調整し、入賞率や出球率を制御することができる。
（３）片方の支持脚４’は基板２に沿ってスライド可能であるので、両支持脚４、４’間の相対位置関係で支持脚をパチンコ盤面２２にセットできない場合でも、支持脚を釘や役物から離れた位置で盤面にセットでき、そのために支持脚を任意の位置で盤面に押当てることができて釘の角度測定を能率よく行える。
【００１２】
（４）基板２に対して支持脚４’が前後にスライド可能、嵌挿される組立式スライド体１１に取り付けた支持脚４’を上下にスライド可能、又は回動自在な構造としたので、支持脚の長さを変えるか又は移動させることが容易に可能であり、指針アーム５を釘角度に沿って回動させた時、基板２を常にパチンコ盤面２２に平行にでき、高い精度で釘角度の測定が可能となる。
（５）支持脚４、４’に釘軸合線２６を表示したり、支持脚にプレート（；図３７の（チ））やピン（図３７の（ト））等を設けて釘の直線方向と支持脚の測定方向を簡単に一致させることができる。
（６）また、支持脚４、４’の中心に釘の嵌挿部３９を形成した嵌挿型冶具（図３７の（ヘ））としたり、支持脚４、４’に段差２８（図３７の（ハ）、（ニ））や突起（図３６の（イ）、（ロ））を設けること等で、精度良く釘角度の測定や調整が可能となる。
（７）組立式スライド体１１を増やしたり、組立式スライド体１１と分度盤３との動きを連結ロッドにより同調させたりしたので、精度良く釘角度の測定や調整が可能となる。
【発明を実施するための最良の形態】
【００１３】
以下、図面に従って本発明を具体的に説明する。
なお、本発明で言う角度測定冶具とは、支持脚の上下側面及び／又は表裏面のいずれかに設けられて、パチンコ盤面２２上に植設された釘の角度を測定、調整するための冶具を指し、支持脚自体の変形（例えば板状、矩形状）も含むが、釘軸合線、フック、支持脚端部の丸み等の冶具の補助仕組みは含まない。
【００１４】
図１は、本発明の分度盤３付き支持脚４の上方側面に角度測定冶具６を設けたゲージの基本型を示す模式図である。
図２は、図１に示された分度盤３の拡大図を示す。
図１、２において、金属製或いはプラスチック製のゲージ１は、長形状の板体である基板２の端部片側に基板２に連設して半円状分度盤３を設ける共に、分度盤３の中心に回動ピン１０を支点にして指針アーム５に連設した支持脚４が回動するように構成し、更に基板２の他端に基板に直角に支持脚４’を連設している。
図２に示すように、該分度盤３にはその円弧面に沿って傾斜度を表す度数目盛８が表示してあり、この分度盤８の盤面上の中心位置に設けた（固定用蝶ネジ１０ａ付き；図２２参照）回動ピン１０を支点として指針アーム５が回動可能に取り付けてある。
指針アーム５は、該ピン１０を中心にして一端側に度数目盛８に達する指針７を有し、他端側にパチンコ盤面２２に当接可能な当接面９を有する支持脚４に連設している。
【００１５】
図１では、該支持脚４、４’には、その長さ方向に沿った一側面に角度測定冶具６（図１では代表例として楔型が示されている）が一体に設けられているが、これは着脱自在に設けても良く、或いは支持脚４、４’の上下両面のいずれかに又は相方に設けても良い。
該支持脚４は、支持脚４’と平行にした時に略同じ突出長さを有し、分度盤３に表示した度数目盛８は、図１ではピン１０からの水平中心位置が９０°を示し、円弧面にそって両側に10ずつの目盛が表示してある。
なお、このような度数目盛８の目盛の仕方はあくまでも１例を示すものであって、この仕方に制限されるものでなく、例えば水平中心位置を０°として円弧面にそって両側に10ずつの目盛を表示しても良い。
従って、図１において指針アーム５が回動し、指針７の先端が円弧面の上方に沿って９１°、９２°と指す毎に釘の傾斜度が高く上向きになり、逆に、指針７の先端が円弧面の下方に沿って８９°、８８°を指す毎に釘の傾斜度が低く下向きになる。
なお、これは例示的なものであり、分度盤３の大きさによって上限や下限の角度範囲は選択自由である。
【００１６】
図３、４は、分度盤付きゲージに役物２３等の障害物を回避するための組立式スライド体１１を基板２に嵌挿して設けた場合を示す模式図である。
図３は、分度盤付きゲージに役物等の障害物を回避するための組立式スライド体を基板に嵌挿して設けたゲージを示す模式図である。
即ち、図３は、組立式スライド体１１を基板２に嵌挿して設け、支持脚４、４’自体を角度測定面として用いた場合を示す。
図４は、図３のゲージにおいて、支持脚４、４’の夫々上、下方側面に角度測定冶具を一体に設けたゲージを示す模式図である。勿論のこと、支持脚の上、下方側面のいずれに設けても良い。
なお、図３〜６は、組立式スライド体中央に滑り止め丸孔１３を示す模式図である。
【００１７】
次に、組立式スライド体１１の構成について説明する。
組立式スライド体１１は、図３、４及び後記図５の組立式スライド体１１の分解図を見ても分かるように、支持脚４’を挟み込んだ組立式とすることが良いが、勿論、自社に係る特開平２００１−２６９４５０号公報、特開平２００２−２２４３２０号公報に示されるように、支持脚とスライド体とが一体型でも構わない。
【００１８】
図５は、図３、４の分度盤付き組立式スライド体付きゲージの分解図を説明する模式図である。
その（イ）、（ハ）図は図３のゲージのスライド体の分解図で、（ロ）、（ニ）は図４のゲージのスライド体の分解図である。
図５に示すように、本発明の組立式スライド体１１は、上下２つの挟持板１４、１４’と基板２を両脇から挟む２枚の連結部１５、１５’から構成され、しかも一方の連結部１５’は支持脚４’と連設され、スライド体１１を組立てて後に挟持板の４隅をネジ１２により仮止めし、更に止めネジ１６を挟持板に組み込み、完成したスライド体１１を基板２に嵌挿し、自由に上下にスライドする程度にネジ１２で止める。
また、ネジ１２は片側４個づつだと安定するが、幾つでも良く、また通しネジとして挟持板等を貫通させても良い。
【００１９】
以下のスライド体についても全て同様である。
このゲージの使用に際し、このゲージを用いて所定の位置にスライドしたら、止めネジ１６で固定する。
なお、図５の（ニ）図に示されるように、基板２を挟む連結部１５、１５’は、基板２を全面で挟むのでなく一部分で挟むのが抵抗が少なくスムーズにスライドするので良く、そのために連結部１５、１５’と基板２との間に隙間を設けグリスやオイル等を入れるグリス入れ１７を設けるのが好ましい。
なお、止めネジ１６の作用は、所定の位置にスライド体１１を止めたら、止めネジ１６を締めて固定するものである。
【００２０】
図６は、スライド体に設置して所定の位置で固定する止めネジの設置可能位置を説明する模式図である。
即ち、止めネジ１６の位置は、スライド体１１の下方に（図４、５）限定されず、図６に示されるように、スライド体１１の固定に便利な任意の位置（Ａ〜Ｄ、裏側にも）を採用できる（図例は一例であって、これに限定されるものではない。）。
図７は、滑り止め孔として、スライド体の両側部に半円状孔を示す模式図である。
即ち、組立式スライド体１１のスライドをスムースに行うために、該スライド体１１を自由に把持できるように滑り止め孔１３を任意の位置に、例えば図３、４ではスライド体１１の中央に円状に、図７では両側に半円状に設けている。
【００２１】
図８は、支持脚の下方に釘を引掛けるためのフック２０を設けたゲージを示す模式図である。
即ち、図８は、支持脚４の下方にフック２０を設け、釘１８をフック２０に引掛けることによりゲージ１の押上げで容易に片手で釘１８の計測が可能となる。
このフック２０によるゲージ１の押上げ作用は、組立式スライド体にも適用できる。また、フック２０は１つだけでなく、指針方向に沿って二つ、三つ等でも良い。また、反対の左側に設けても良い。
図９〜１２は、図８の分度盤付きゲージに角度規制スプリング２１を用いて角度の規制を行う使用例を説明する模式図である。
【００２２】
図９は、図８のフックを用い、且つ分度盤５の回動を規制する角度規制スプリング２１を設けたゲージを示す模式図であり、釘１８をフック２０に引掛けて釘角度測定を行う状態を示す模式図である。
即ち、図９は、回動ピン１０に角度規制スプリング（簡単にゴム等でも良い）２１を設けることにより、図１０に示すように、基板２を持ち上げ、指針７の示す度数が釘１８の持つ角度となるから、この角度規制スプリング２１で固定して釘調整を行う。
また、別に指針７を例えば１０°の目盛に合わせて、角度規制スプリング２１の代わりに回動ピン１０に付いている蝶ネジ１０ａ（図２２参照）で固定して支持脚４に釘１８を合わせることでも良い。
【００２３】
図１０は、図９のゲージにおいて、釘１８をフック２０に引掛けて支持脚４に沿わせた状態を示す模式図である。
即ち、図１０は、基板２を持ち上げて釘１８をフック２０に引掛けて支持脚４に沿わせた後、角度規制スプリング２１の作用により固定させ、基板２とパチンコ盤面２２とが平行を維持できることを示す。
この場合、支持脚４に釘１８がフック２０で押上られて釘１８は支持脚４に沿うようになり、指針７の指す目盛が釘１８の角度となる。
【００２４】
図１１は、支持脚４に角度測定冶具６を一体に設けたゲージを用いて釘角度測定を行う状態を示す模式図である。
図１２は、支持脚４に角度測定冶具６を一体に設けたゲージを用いて釘１８を支持脚４に沿わせた状態を示す模式図である。
即ち、図１１、１２は、図９、１０のゲージに対して支持脚４の上方に角度測定冶具６を一体に設けた場合の使用状態を示すものであり、これは図９、１０の角度規制スプリング２１付きゲージを用いて釘調整を行なえることを示す。
【００２５】
図１３は、図３の組立式スライド体付きゲージにおいて、支持脚４の脚部自体が角度測定面１９、１９’を構成するように、矩形状に構成された状態を示す模式図である。
図１４は、基板の途中に更に支持脚４ａを設けた円形状分度盤付きゲージを示す模式図である。
図１５は、図１４のゲージの使用例を示す模式図であり、役物等の障害物を回避するのに便利である。
即ち、図１３は、支持脚４、４’自体が矩形状に構成されて、その上下面が角度測定面１９となり、左右面が角度測定面１９’となる場合であって、更に、基板２に嵌挿して組立式スライド体１１を設けたゲージを示す。
この場合に、該スライド体１１の構成及びその変形は、図３〜７の場合と同じである。
【００２６】
図１４は、基板２の一端に設けた分度盤３を円形体状３’とし、基板２の他端には片側へ直角状に支持脚４’を連設するとともに、基板２の長さ方向途中に、支持脚４’と反対側に支持脚４ａを直角状に連設する。
円形分度盤３’の中心垂直線から左右対称位置に、水平中央を９０°とした度数目盛８を表示し、該分度盤３’の両面には回動ピン１０に軸支した一対の指針アーム５、５’を対称に回動可能に取り付けている。
このような構成としたことにより、基板２を中心として両側で釘角度の測定を行うことができる。
【００２７】
図１５は、図１４のゲージの使用例を示しており、支持脚４と支持脚４’とで釘角度を測定する場合に、支持脚の設置位置に釘の集合体や役物２３があるためにパチンコ盤面２２上にゲージを置くことができない時の対応を示す模式図である。
即ち、支持脚Ａ、Ｃ’間での釘角度の計測は、支持脚４とは高さ位置が異なる反対側の支持脚Ｂ（４ａ（短長））と支持脚Ｃとの間を使用することで役物等を回避できて測定が可能となる（指針アーム５を１８０°回転させる）。
従って、支持脚４と支持脚４’との相対する位置関係を変える必要がなくなる利点がある。
【００２８】
図１６は、図３の組立式スライド体付き分度盤ゲージにおいて、該スライド体１１に嵌着される支持脚４’が前後にスライドでき、支持脚長を容易に調整できる。
図２７に示すように、支持脚４がパチンコ盤面２２との直角から外れた度数を求めた時、スライド体１１の移動により、イ、ロに示す度数に誤差が生まれる。これを補正するために、脚部３１を左に寄せて基板２とパチンコ盤面２２とを平行にし、誤差を回避するためのものである。
図１７は、図１６において、支持脚長を容易に調整できる他の例を示す模式図である。
図１８は、図３の組立式スライド体付き分度盤ゲージにおいて、該スライド体１１に嵌着される支持脚４’が回動自在に構成されたゲージを示す模式図である。
図１９は、図３の組立式スライド体付き分度盤ゲージにおいて、該スライド体１１に嵌着される支持脚４’が回動自在に構成された他の例のゲージを示す模式図である。
図２１は、図１６〜１９のゲージにおいて、構成されるスライド体の分解図を示す。
【００２９】
即ち、図１６では、図３の組立式スライド体付き分度盤ゲージにおいて、該スライド体１１に嵌着される支持脚４’が、支持脚４’が矩形板３０と脚部３１とに分割され、脚部３１に設けた短スリット２９ａ内に蝶ネジ２４ａで止められた支持脚４’の脚部３１を前後にスライドさせて、支持脚４’の長さを調整して図２７から発生する誤差を回避できるとを示す。
図１７は、図１６において、支持脚４’自体を組立式スライド体１１に並列させ、支持脚４’内に設けた長スリット２９ｂに蝶ネジ２４ａで止められた支持脚４’を前後にスライドさせて、支持脚４’の長さを調整して同じく図２７から発生する誤差を容易に回避できることを示す。
なお、図１６、１７のゲージにおいて、その支持脚４’の長さ調整のために、支持脚４’のスリット２９ａ、２９ｂに沿って図４４のゲージの支持脚Ｂに付した補正目盛５２、補正値５３を便宜のために設けても良い。
【００３０】
図１８は、図１６のゲージにおいて、支持脚４’の基部に、回転させる支点ピン２５と仮固定させる蝶ネジ２４ａとを設け、支持脚４’を矩形板３０’に回転可能に取付けて、図２７から発生する誤差を回避し、また、役物等から回避できる構成のゲージを示す。
図１９は、図１８のゲージと同じく、支持脚４’の基部に、回転させる支点ピン２５と仮固定させる蝶ネジ２４ａとを設けて、支持脚４’を組立式スライド体１１に直接に回転可能に取付け、ゲージの支持脚４’を役物等から回避できる構成のゲージを示す。
【００３１】
図２０は、図１８、１９のゲージの使用例を説明する模式図である。
（イ）図は、支持脚４が回動した時に、９０°では問題は起きないが、それ以外ではＡ＜Ｂとなることを示す。
（ロ）図は、支持脚４を上方に上げることによって、Ａ’＝Ｂ’が保たれ、安定した角度測定が可能となることを示す。
即ち、図２０−（イ）図は、支持脚４が回動した時に、例えば９０°（この度数でなくても良い）では問題は起きないが、それ以外の（０°又は１８０°の方向）ではＡ＜Ｂとなる。
図２０−（ロ）図は、支持脚４’を上方に上げる（下げても良い）ことによって、Ａ’＝Ｂ’が保たれ、安定した角度測定が可能となる。
（ハ）また、多少の役物２３がパチンコ盤面２２に存在しても、回避が可能であり、影響を与えない程度に角度測定が可能となる。
（ニ）特徴
（ａ）パチンコ盤面２２と基板２との平行が保てる。
（ｂ）釘角度測定時に、多少の役物２３があっても支持脚の回避が可能である。
【００３２】
図２１は、夫々図１６〜１９の組立式スライド体１１の分解図を示すものであり、その構成は、図５の場合と同じである。
その（イ）図は図１８のゲージの組立式スライド体の分解図、（ロ）図は図１９のゲージの組立式スライド体の分解図、（ハ）図は図１６のゲージの組立式スライド体の分解図、（ニ）図１７のゲージの組立式スライド体の分解図である。
即ち、（イ）図では、本発明の組立式スライド体１１は、上下２つの挟持板１４、１４’と基板２を両脇から挟む２枚の連結部１５、１５’から構成され、しかも支持脚４’は、一方の挟持板１４の右下隅に連設される矩形板３０’に支点ピン２５を中心にして回動するものであり、組立式スライド体１１に組立てて後に挟持板の４隅をネジ１２により仮止めし、更に止めネジ１６を挟持板に組み込み、完成したスライド体１１を基板２に嵌挿し、自由に上下にスライドする程度にネジ１２で止める。
このゲージの使用に際し、このゲージを用いて所定の位置にスライドしたら、止めネジ１６で固定する。
【００３３】
（ロ）図では、上下２つの挟持板１４、１４’と基板２を両脇から挟む２枚の連結部１５、１５’から構成され、しかも支持脚４’は、一方の挟持板１４’の下中央に支点ピン２５を中心にして回動するものであり、組立式スライド体１１に組立てて後に挟持板の４隅をネジ１２により仮止めし、更に止めネジ１６を挟持板に組み込み、完成したスライド体１１を基板２に嵌挿し、自由に上下にスライドする程度にネジ１２で止める。
【００３４】
（ハ）図では、上下２つの挟持板１４、１４’と基板２を両脇から挟む２枚の連結部１５、１５’から構成され、しかも支持脚４’が矩形板３０と脚部３１とに分割され、脚部３１に設けた蝶ネジ２４ａで止められた脚部３１を短スリット２３ａ内に前後にスライドさせるように組立式スライド体１１に組立てて後に挟持板の４隅をネジ１２により仮止めし、更に止めネジ１６を挟持板に組み込み、完成したスライド体１１を基板２に嵌挿すると、支持脚４’が前後にスライドできる程度にネジ１２で止める。
【００３５】
（ニ）図では、上下２つの挟持板１４、１４’と基板２を両脇から挟む２枚の連結部１５、１５’から構成され、しかも長スリット２３ｂからなる支持脚４’が蝶ネジ２４ａにより２か所で挟持板１４’に止められて前後にスライドさせるように構成した組立式スライド体１１に組立てて後に、挟持板の４隅をネジ１２により仮止めし、更に止めネジ１６で挟持板に仮止め、完成したスライド体１１を基板２に嵌挿すると、支持脚４’が前後にスライドできる程度にネジ１２で止める。
【００３６】
結局、（ニ）図では、図１７に示すように、支持脚４’自体を組立式スライド体１１に列させ、支持脚４’内に設けた長スリット２９ｂに蝶ネジ２４ａで止められた支持脚４’を前後にスライドさせて、支持脚４’の長さを調整するものである。
図２１全体に示されるように、基板２を挟む連結部１５、１５’は、基板２を全面で挟むのでなく一部分で挟むので抵抗が少なくスムーズにスライドするので良く、そのために連結部１５、１５’と基板２との間に隙間を設けグリスやオイル等を入れるグリス入れ１７を設けるのが好ましい。
なお、止めネジ１６の作用は、所定の位置にスライド体１１を止めたら、止めネジ１６を締めて固定するものである。
【００３７】
図２２は、図４の組立式スライド体付きの支持脚に角度測定冶具一体型分度盤ゲージにおいて、該スライド体１１を廃する代わりに、支持脚４’自体を基板２の上下にスライド自在としたゲージを説明する模式図である。
即ち、図２２は、支持脚４’に長スリット２３ｂを設け、このスリット内に蝶ネジ２４ａとナット２４ｂとで支持脚４’を基板２の上下にスライド可能とする。
図２３は、図２２のゲージの使用例を示す模式図である。
即ち、図２３に示されるように、（イ）支持脚４’がパチンコ盤面２２より傾斜することにより、Ａ間隔は小さくなりＡ＝Ｂとはならず、基板２とパチンコ盤面２２とは平行を保てない。
（ロ）もし支持脚４’が伸縮しなければ、基板２とパチンコ盤面２２とは平行を保てなく、指針７の示す度数は不安定となる。
（ハ）この場合、支持脚４’がスライドすることにより、Ａ＝Ｂとなり、安定した角度測定が可能となる。なお、基板、支持脚とスリットは２本等で行う。
【００３８】
図２４〜２６は、組立式スライド体付き分度盤ゲージの使用例を説明する模式図である。
即ち、図２４は、図３の組立式スライド体付き分度盤ゲージの使用例を説明する模式図である。
図２４では、支持脚４’又は組立式スライド体１１の移動によりＡ＜ＢではＡ、Ｂ間の平行が保たれないことを図示している。
図２５は、役物２３等の回避のために組立式スライド体１１を移動させると、支持脚４’の突出長が変更してＡ＝Ｂになるため基板２とパチンコ盤面２２とが平行となることを示す模式図である。
なお、Ａ＝Ｂでないといけないかは図２７を参照する。
【００３９】
図２６は、組立式スライド体１１の移動によりＡ＜Ｂとなると、基板２とパチンコ盤面２２の平行が保たれないことを図示している。
図２７は、組立式スライド体１１の移動により（イ）、（ロ）に示す度数目盛８に変化が生じるので、Ａ＜Ｂとなって基板２とパチンコ盤面２２の平行が保たれないことを図示している。
【００４０】
図２８では、（イ）は、図１の分度盤付きゲージにおいて、支持脚４、４’間を一定長のロッド３３で連結した構造のゲージを示す模式図である。
これによって、支持脚４を動かしてもロッド３３によって連結された他の支持脚４’も同様に動くので、常にＡ＝Ｂが保たれる。
図（ロ）は、（イ）に示されたゲージの使用例を示す模式図である。
【００４１】
即ち、図２８の（イ）は、図１の分度盤付きゲージにおいて、支持脚４、４’の基部に夫々蝶ネジ２４ａ、蝶ネジ２４ｂと支点ピン２５ａ、２５ｂとを設けると、支点ピン２５ａ、２５ｂを支点にして上下に移動する。
更に、支持脚４、４’にピン３２、３２’を設け、支持脚４、４’間を一定長のロッド３３で連結すると、支持脚４を動かしてもロッド３３によって連結された支持脚４’も同様に動くので、常にＡ＝Ｂが保たれて安定した釘角度計測が可能となる。
図２８の（ロ）は、（イ）に示されたゲージの使用例を示す模式図である。
なお、図２８において、基板側、或いは支持脚側にネジが切ってあるが、基板２側に蝶ネジ２４ａにより上下に移動させても構わない。
また、ロッドの位置は支持脚４’をパチンコ盤面２２から離れた方向、つまり、基板側に突き出して延長した所と指針７とに連続しても同じ結果が得られる（つまり、図面に示した支点ピン２５ａの左側）。
【００４２】
図２９は、図１のゲージの角度測定冶具６として八角型測定冶具６ａを取り付けた例を示す模式図である。
図３０は、図２９の八角型測定冶具６ａの使用例を説明する模式図である。
（イ）この八角型測定冶具６ａの特徴の１は、パチンコ盤面２２に対する釘１８の３６０度方向の調整が一回で可能なことである。
従来のゲージでは、釘角度の調整は、先ず上下角を調整した後に左右角を調整しており（勿論、どちらが先でも構わない）、最低でも２回の調整が必要であった。
（ロ）特徴その２は、八角型測定冶具６ａには、各Ａ〜Ｈ（図３１の（ハ）参照）のように沢山の角度測定面を有することにより、夫々任意の角度が選択でき、多様な釘調整が可能となる。
【００４３】
（ハ）  特徴その３は、一度作製した角度測定冶具を更に回動ピン１０によって支持脚の角度が変えられるため、図３１（ハ）に示すように、Ａ方向、Ｅ方向等と基板２に沿って回動可能なためにより、多くの釘角度の多様性が可能となる。
（ニ）特徴その４は、八角型測定冶具６ａの段差２６により釘の釘傘を回避し、スムーズな計測を行うことが可能である。
（ホ）特徴その５は、八角型測定冶具６ａは図面では支持脚４と着脱自在に取付けられているが、支持脚４と一体に形成しても良く、着脱自在の場合に誘磁体である支持脚４に固着できるように磁性体として構成し、または支持脚４にネジ込みとしても良い。
角度測定冶具は磁性体とする外に、差し込みとして両面テープで固定するか又は接着剤等で固定しても良い。
【００４４】
（Ａ）図３１は、パチンコ盤面２２上に植設された釘角度を調整するための、図２９の八角型測定冶具６ａの使用例を説明する模式図である。
即ち、図３１（イ）は垂直面での八角型角度測定冶具の横視図であり、後記（ハ）のＡ面にて釘１８の上下角の調整が可能であり、またＥ面にても可能であり、（ロ）、（ニ）図は水平面での冶具の見下し図であって、後記（ハ）のＢ、Ｄ，Ｆ，Ｈ面により釘の３６０度方向の調整が可能となり、特に（ニ）はＢ面にて釘角３６０度方向の調整が１回で可能となり、（ハ）図は、冶具の正面図であって、各八角面に夫々便宜上Ａ〜Ｈの符号が付けられている。
（Ｂ）図（ホ）、（ヘ）、（ト）は、盤面に植設された釘の状態図を示す。  即ち、パチンコ盤面２２に植設された釘１８の状態によって、八角型測定冶具６ａを用いると、（ホ）図によると上記（イ）の作業にて行った上向きの釘の上下角の調整が可能となることを示し、（ヘ）図によると（ロ）の作業にて行った右向きの釘の左右角の調整が可能となることを示し、（ト）図によると（ニ）の作業にて行った右斜上の釘の３６０度方向の調整が可能となることを示している。
つまり、（イ）と（ロ）の２回の作業を、（ニ）で１回の作業で済むことである。
（Ｃ）図（チ）は八角型測定冶具６ａの拡大斜視図を示し、（リ）は釘軸と釘軸合線２６とを合わせて釘１８を角度測定面に沿わせた場合を示す。
（Ｄ）例えば図（ハ）において、パチンコ盤面に対しての角度をＡ−１°、Ｂ−１．２°、Ｃ−１．４°、Ｄ−１．６°、Ｅ−１．８°、Ｆ−２°、Ｇ−２．２°、Ｈ−２．４°等とすることも可能である。
【００４５】
（１）  図３２の（イ）は、八角型測定治具６ａの全体拡大図を示し、（ロ）は治具の正面拡大図を示し、（ハ）、（リ）は垂直面に於ける横視図、（ニ）、（ヌ）は（ハ）、（リ）を左右反転したと仮定した同横視図、（ヘ）、（ヲ）は水平面に於ける見下し図、（ホ）、（ル）は（ヘ）、（ヲ）を上下反転したと仮定した、下から上への見上げ図。
（２）  （ト）、（チ）、（カ）、（ワ）は盤面に植設された釘の状態図であるが、各治具（ハ）（ニ）、（ホ）、（ヘ）、（リ）、（ヌ）、（ル）、（ヲ）に於ける釘当接面で、下記各使用例（仮定）に基づいた角度によって行った、釘調整後の状態図である。
【００４６】
次に、八角型測定治具６ａの使用例を図３２により更に説明する（角度については図３４の角度呼称例を参考とされたい）。
〈使用例１〉
（仮定）
分度盤３の指針７を０°（９０°）とする（図２９）。
・Ａ面と遊技機盤面２２との角度を０°とする（ハ）、（ニ）（上下角）
・Ｅ面と遊技機盤面２２との角度を−１°とする（ハ）、（ニ）（上下角）
・Ｃ面と遊技機盤面２２との角度を０°とする（ホ）、（ヘ）（左右角）
・Ｇ面と遊戯機盤面２２との角度を２°とする（ホ）、（ヘ）（左右角）
（釘調整）
１．Ｂ面で釘を調整すると（図３２−（ト））。
上下方向０°（ハ）、（ニ）（Ａ面により）
左右方向０°（ホ）、（ヘ）（Ｃ面により）
（結果）
（ト）図のように上下、左右共に直角の釘角となる。
２．Ｆ面で釘を調整すると（図３２−（チ）  ）。
上下方向、下へ−１°（ハ）、（ニ）（Ｅ面により）
左右方向、左へ２°（ホ）、（ヘ）（Ｇ面により）
（結果）
（チ）のように左斜め下の釘角となる。
【００４７】
〈使用例２〉
（仮定）
分度盤３の指針（図２９）を２°（９２°）とする。（上記と同一の治具を使用するが、下記のように遊技機盤面と釘当接面２７の角度は変ってくる図３２−（リ）、（ヌ））。
・Ａ面と遊技機盤面２２との角度が０°から２°となる（リ）、（ヌ）（上下角）
・Ｅ面と遊技機盤面２２との角度が−１°から１°となる（リ）、（ヌ）（上下角）
・Ｃ面と遊戯機盤面２２との角度が０°で変らず（ル）、（ヲ）（左右角）
・Ｇ面と遊技機盤面２２との角度が２°で変らず（ル）、（ヲ）（左右角）
（釘調整）
１．Ｂ面で釘を調整すると（図３２−（ワ））。
上下方向、上へ２°（リ）、（ヌ）（Ａ面により）
左右方向、０°（ル）、（ヲ）（Ｃ面により）
（結果）
（ワ）図のように直上の釘角となる。
２．Ｆ面で釘を調整すると（図３２−（カ）  ）。
上下方向、上へ１°（リ）、（ヌ）（Ｅ面により）
左右方向、左へ２°（ル）、（ヲ）（Ｇ面により）
（結果）
（カ）図のように左斜め上の釘角となる。
【００４８】
図３３は、八角型測定冶具付きゲージの使用例を説明する模式図である。
（イ）はゲージを水平にセットした場合で、釘１８をＡ面での測定を示し、
（ロ）は冶具の見下し図で、釘１８をＢ面、Ｄ面での測定を示し、（ハ）は冶具の横視図で、釘１８をＦ面、Ｈ面での測定を示し、（ニ）は冶具の正面図である。
図３４は、角度の呼称例を示し、（イ）は釘１８をパチンコ盤面２２に垂直方向に、（ロ）は釘１８を水平方向にセットした場合を示す。
【００４９】
なお、図３５〜４１に示した角度測定冶具の種類には、角度測定冶具と共に、角度測定のために必要な補助仕組み（例えば、種類３の（ロ）釘軸合線、（ハ）段差、種類４の（ニ）へこみ）も含む。
図３５は、角度測定冶具の種類１の（形状）と（使用例）を示し、（イ）は角度測定面付き先端丸型冶具、（ロ）は上向一体型の楔形冶具、（ハ）は上向着脱型の楔形冶具、（ニ）は下向一体型の楔形冶具、（ホ）は下向着脱型の楔形冶具、（ヘ）は両側一体型楔形冶具、（ト）は両側着脱型楔形冶具、（チ）は突起冶具一体型、（リ）は上向突起冶具着脱型、（ヌ）は突起冶具一体型、（ル）は下向突起冶具着脱型を示す。
【００５０】
図３６は、角度測定冶具の種類２の（形状）と（使用例）を示し、（イ）は両側突起一体型冶具、（ロ）は両側突起着脱型冶具又は突起は４角形に限らず、また冶具の両左右に設けても良い。また、１つ、３つ等幾つでも良い。（ハ）はピン冶具型、また、丸形に限らず、左右に設けても良い。また、３つ、４つ等幾つでも良い。（ニ）は右付けプレート型冶具、（ホ）は左付けプレート型冶具、（ヘ）は両側付けプレート型冶具、（ト）は４角型冶具又は四面体型でも先広形でも良い。（チ）は上（下）面付けプレート型冶具、（リ）は上（下）面付け先細プレート型冶具、（ヌ）は上（下）面付け先薄プレート型冶具又は先広形でも良い。
【００５１】
図３７は、角度測定冶具の種類３の（形状）と（使用例）を示し、（イ）は支持脚自体を角度測定面としての利用、（ロ）は支持脚の中心に釘軸合線２６付きまたは左側に設けても良いし、（ハ）は（イ）の矩形状冶具の途中の一側面に段差２８を設けて釘傘の回避、（ニ）は（イ）の矩形状冶具の途中の両側面に段差２８、２８’を設けて釘傘の回避、（ホ）は（イ）の矩形状冶具の当接面を丸み２９とし、冶具６の角度変化の時に、パチンコ盤面２２とスムーズに接触可能であり、図３７に記載の冶具全てに応用可能であり、（ヘ）は嵌挿型冶具３０であって、ａとｂ、ｃとｄで平行に合わせる、（ト）は矩形状冶具の側面に互いに離れたピン２６を設けピン２６と釘軸とを合わせるか、また、丸形に限らず、左に、左右に設けても良く、また、３つ、４つ等設けても良く、（チ）は矩形状冶具にプレート２７を設け、また、左側に、または左右に設けても良い。
【００５２】
図３８は、度測定冶具の種類４の（形状）と（使用例）を示し、（イ）上下矩形型（着脱自在式又は一体式も可能）では上下２面で計測が可能であり、また冶具を水平にしての使用も可能である。（ロ）板状型で当接面が丸み４０を有すると当接面が直線（ロ’）の場合のように支持脚がパチンコ盤面２２から浮くことがなく、盤面上に冶具が安定して接地できる。
（ハ）羽根板型、（ニ）へこみ４１付き、（ホ）段差２８付きでは、冶具は一体型、着脱型に適用可能であり、また、先端が丸めてあって、この技術は本発明の全ての冶具に応用可能であり、（ヘ）両側段差２８、２８’付き、（ト）、（チ）低壁部着脱シーソー型、（リ）高壁部着脱シーソー型では、低壁部４２、高壁部４２’の数は、ベース板４３上に２個に限らず幾つでも可能であり、また、このシーソー型は（ａ）壁部の高さによって、上下に角度変化が可能であり、（ｂ）支持脚とベース板４３との位置によって左右に角度変化が可能であり、（ｃ）釘角度３６０°計測が可能である。
【００５３】
図３９は、度測定冶具の種類５の（形状）と（使用例）を示し、（イ）低壁部一体（着脱式）シーソー型での使用例は（イ’）横視図であり、（ロ）高壁部一体シーソー型では、（ロ’）の見下し図の使用例で分かるように左右の角度変化が可能である。
（ハ）〜（ホ）は丸形であり、（ハ）円錐型では、丸形なので釘角度３６０°の計測可能であり、円錐面に釘軸合線２６を入れるとそれに合わせて計測を行い得て使い易く、（ハ’）の横視図による使用例で分かるように、大きく、小さく、楕円状にしたりして、多様なパターンが可能であり、（ニ）逆円錐型、（ホ）円筒型である。また、丸形の他に楕円等でも良い。
（ヘ）〜（ト）は三角柱型、三面体型でも良く、断面が三角形でも希望角度で形状変化し、（ヘ）逆先細型の斜面４４を利用して釘角度３６０°の計測可能であり、また斜面４４に釘軸合線２６を入れるとそれに合わせて計測を行い得て使い易く、（ト）三角柱型である。
【００５４】
図４０は、角度測定冶具の種類６の（形状）と（使用例）を示し、（イ）〜（ハ）は５角柱型又は５面体型であり、釘角度３６０°の方向で計測可能であり、（イ）先細型であって、５面での計測可能であり、５つのパターンの釘角度が可能であり、（ロ）逆先細型、（ハ）５角柱型；
（ニ）〜（ヘ）は６角柱型または６面体型であり、（ニ）先細型であって６面にて計測可能で６つのパターンが取れ、この応用として何面体も可能であり、（ホ）逆先細型、（ヘ）６角柱型；
これらの冶具を活用することにより３６０°の計測が可能である。
（ト）〜（リ）は変則角型であり、（ト）２面へこみ２面計測型であって、２つのパターンが取れ、（チ）３面へこみ３面計測型であって、３つのパターンが取れ、（リ）４面へこみ４面計測型であって、４つのパターンが取れる。
これらの冶具を活用することにより３６０°の計測が可能である。
【００５５】
図４１は、角度測定冶具の種類７の（形状）と（使用例）を示し、（イ）〜（チ）は全て釘角度３６０°方向の計測可能であり、（イ）４面へこみ４面計測型であって、４つのパターンが取れ、（ロ）５面へこみ５面計測型であって、５つのパターンが取れ、（ハ）６面へこみ６面計測型であって、６つのパターンが取れ、（ニ）７面へこみ７面計測型であって、７つのパターンが取れ、（ホ）８面へこみ８面計測型であって、８つのパターンが取れ、（ヘ）４隅角取り２枚組型であって、４面計測可能で４つのパターンが取れ、（ト）４隅角取り４面計測型であって、４つのパターンが取れ、（チ）井形状８面計測型であって、８つのパターンが取れる。
【００５６】
図４２のゲージは、図２７のゲージの問題点の対応技術であり、扇子型分度盤付き組立式スライド体付きゲージ（扇子型に限定されない）において、分度盤３に取り付けた指針アーム５と連設する支持脚Ａがスリット４６と支点ピン２５によって左右に移動でき、且つ２つのスライド体と３つの支持脚を設けることによって、常に基板２とパチンコ盤面２２とを平行にできるゲージを示す模式図である。
【００５７】
本発明による図４２のゲージでは、分度盤付きスライド体付きゲージにおいて、２つのスライド体（スライド体Ａ、スライド体Ｂ）と３つの支持脚（支持脚Ａ、支持脚Ｂ、支持脚Ｃ）を有していて、分度盤３に取り付けた指針アーム５と連設する支持脚Ａがスリット４６と支点ピン２５（蝶ネジ２４、２４’付き）によって左右に移動できる構成となっている。
本例は、組立式スライド体の移動による指針７の角度変化の問題点（図２７参照）の対応技術の１つである。図２７によると、スライド体１１の移動によって指針７がイ、ロのように誤差が生じていた。
【００５８】
図４２−（Ａ）のゲージによると、（イ）２つのスライド体（スライド体Ａ、スライド体Ｂ）を設けることによって、常に基板２とパチンコ盤面２２とを平行にできる。
（ロ）３つの支持脚（支持脚Ａ、支持脚Ｂ、支持脚Ｃ）が常に、３点でパチンコ盤面と接触して計測するため、指針７の角度を変化させた時に、支持脚Ａがパチンコ盤面２２から浮いてしまう。
（ハ）そこで、本発明の図４２のゲージによると、分度盤３に取り付けた指針アーム５と連設する支持脚Ａがスリット４６内の支点ピン２５（蝶ネジ２４、２４’付き）が左右に移動することにより、常に、パチンコ盤面２２と支持脚Ａが接触可能となる。
図４２−（Ｂ）のゲージによると、指針７の角度が変化しても、支持脚Ａが内蔵のコイルスプリング４８によって、常に支持脚Ａがパチンコ盤面に接触するようになる。
【００５９】
図４２のゲージに共通して；
（イ）電池４９内蔵による角度デジタル表示５０を設けても良く、これによって指針７の角度変化を容易にデジタル表示できる。
（ロ）支点ピン２５には角度規制スプリング２１を取り付け、指針７の度数目盛８が決まったらその角度に半固定できて角度調整が容易になる。
（ハ）ラッチＡのジグザグ（凹凸）によって指針７を半固定できる。
（ニ）ラッチＢのジグザグ（凹凸）によってスライド体Ａ、スライド体Ｂを半固定できる。
（ホ）図示していないが、図２２のように基板２にスリットを設け、そこに支持脚を２本設け、上記スリット内を摺動させても良い（コストが安価にできる）。
【００６０】
図４３のゲージは、図２７のゲージの指針回動時のパチンコ盤面と基板との平行ができなくなる問題点に対応する複合技術である。
図４３のゲージは、分度盤付きスライド体付きゲージにおいて、分度盤３と基板２とは一体でなくて支点ピン２５によって回動し、更に分度盤３とスライド体１１とを複数の連結ロッド（連結ロッド１〜５等）により連結させ、且つ支持脚Ｂが左右にスライド可能とされ、支持脚Ｂに補正目盛５２と補正値５１が設けられた構成とされている。
【００６１】
（Ａ）図２７の対応
（イ）まず、スライド体１１が上方にスライドすることによって図示される通り、各連結ロッドが夫々の方向に作動する。
（ロ）従って、スライド体１１の上昇から始まり、分度盤３を左回りさせることにより、図２７における指針イ、ロの誤差を分度盤３の回動によって補正する。
（ハ）この指針イ、ロの行程値は、機構的にスライド体１１の行程値と連動させることになる。
【００６２】
（Ｂ）指針７の回動時のパチンコ盤面２２と基板２との平行を保つための対応技術
特に、図４４のゲージの支持脚Ｂの拡大図により下記の内容の理解が容易となる。
（イ）指針７が０°を中心として、Ａ＝Ｂとなる（支持脚Ａの支点ピン２５〜パチンコ盤面２２までの距離が最大）。
（ロ）指針７が９０°又は−３０°の方向に向かうにつれて、Ａ＜Ｂとなる。
（ハ）つまり、Ｂ−Ａ＝Ｘとなるので、このＸ値を補正する必要がある。
（ニ）従って、指針７の回動によって生じたＢ−Ａ＝ＸのこのＸ値を補正目盛５２で補正する。
（ホ）Ｘ値の分だけ、支持脚Ｂを左へ移動することにより、補正可能となる。
（ヘ）指示印５１と補正値５３とで合わせて補正を行うが、指針７が分度盤３の０°から外れる行程値（９０°又は−３０°方向のどちらでも良い）は、補正目盛５２の補正値５３と連動する。
【００６３】
特に、本発明のゲージは、下記の点にも特徴を有する。
（１）支持脚の数は基本的には２又は３個であるが、角度測定の多様性に鑑みて、更に基板及び／又は支持脚の途中にも支持脚を各種の方向に設けることができる。
（２）分度盤の形状は、通常には半円状が１８０°あれば種々のケースに十分に対応できるが、三角状（扇子状）でも構わないし、円状にし且つ指針アーム２個の端部を連設して使用すると釘角度を上下いずれの方向でも測定できて良い。
（３）指針アームが回動ピンを介してその回動が規制できるように、例えば角度規制スプリング２１や簡単にはゴム輪を利用すると、指針７の停止した位置で容易に仮固定できて良い。
（４）スライド体１１に代えて、基板２にスリットを設け（図２２のように）支持脚Ｂをスライドさせても良い。
（５）図４３に示す各連結ロッドの長さ、形状、位置等は支障のない限り使い勝手良くすることが可能である。
（６）図４３の対応として、各連結ロッドに代えて下記の部品の使用しても良い（図示していない）。
（イ）ギヤーの使用、
（ロ）ワイヤ又は紐と滑車の使用、
（ハ）ラックとピニオンの使用、
（ニ）スクリューの使用
（７）支点ピンと及び／又は蝶ネジによると使い勝手が良い。
（８）図４２のように、基板２又は分度盤３にラッチを設けると使い勝手が良い。
【００６４】
各ゲージに共通して、
（イ）ゲージ、支持脚、冶具、分度盤等で、そのパチンコ盤面２２に対する角度表示として、１°、０．５°等刻みで表示も可能であり、その範囲は、０°〜１８０°又は０°〜３６０°等としても良い。
また、施工法としては、印刷、刻印、シール、レーザー、薬品等による加工等も可能である。
（ロ）図面中で、分度盤３は詳細に表示していないが、１例として図２を代表例とする。
（ハ）図示された分度盤付きゲージにおいて、その度数表示は図４２に示すように、デジタル表示とすることも可能である。
（ニ）各冶具を図３５〜４１に示したが、これは１例であって、冶具の角度を変えることによって、自ずと形状も変わる。
（ホ）左利きの人用にゲージの裏側（反対側）に分度盤、目盛、連結ロッド、指針アーム、支持脚等を設けても良い。
（ヘ）基板２と支持脚４’は必ずしも直角でなくても良い。
（ト）分度盤の形状は、単に度数が正確に表示できれば良いので、例えば４角形、楕円等のような形でも良い。
（チ）図３５〜４１に例示した各種冶具は、本発明に係る全ての支持脚に取付け可能であり、釘角度測定、調整の便に利する。
（リ）着脱自在の冶具の材料は、磁石、金属、アクリル樹脂、プラスチックのような石油製品等で良く、ゲージも同様の素材も使用可能であるから、磁気による吸着、接着剤、両面テープによる接着、或いは嵌め込み、ネジ込み等が可能である。
（ヌ）図面や説明に用いたパチンコ盤面の用語は、遊戯機盤面を含むものを指す。
（ル）分度盤に設ける指針アームは度数を表示する役割であるので、必ずしも分度盤の下部中心位置に限ったものではない。
（ヲ）支持脚、基板等は釘角度計測等に於いて、釘、役物等よりも低くなることもある。
（ワ）図４３による分度盤の補正はロッド等の構成によって必ずしも左回りに限ったものではない。
【産業上の利用可能性】
【００６５】
本発明によれば、熟練を要することなくパチンコ機に打ち込んだ釘の上下および左右の角度測定および調整が可能であり、パチンコ業界において店の収益向上とともに客の満足感を共に達成することができ、パチンコの遊戯性を高め、パチンコ業界の発展に寄与するものである。
【図面の簡単な説明】
【００６６】
【図１】本発明の分度盤付き支持脚に角度測定冶具を設けたゲージの基本型（参考）を示す模式図である。
【図２】図１に示された分度盤３の拡大図を示す。
【図３】分度盤付きゲージに役物等の障害物を回避するための組立式スライド体を基板に嵌挿して設けたゲージを示す模式図である。図３〜６では、滑り止め孔として、スライド体中央に丸孔を示す模式図である。
【図４】図３のゲージにおいて、支持脚の上・下方側面に角度測定冶具を一体に設けたゲージを示す模式図である。
【図５】図３、４の分度盤付き組立式スライド体付きゲージの分解図を説明する模式図である。その（イ）、（ハ）図は図３のゲージのスライド体の分解図で、（ロ）、（ニ）は図４のゲージのスライド体の分解図である。
【図６】組立式スライド体に設置して所定の位置で仮止めする止めネジの設置可能位置を説明する模式図である。
【図７】滑り止め孔として、組立式スライド体の両側部に半円状孔を示す模式図である。
【図８】支持脚の下方に釘を引掛けるためのフックを設けたゲージを示す模式図である。
【図９】図８のフックを用い、且つ分度盤の回動を規制する角度規制スプリングを設けたゲージを示す模式図であり、釘をフックに引掛けて釘角度測定を行う状態を示す模式図である。
【図１０】図９のゲージにおいて、釘をフックに引掛けて支持脚に沿わせた状態を示す模式図である。
【００６７】
【図１１】図９のフックなしのゲージにおいて、支持脚に角度測定冶具を一体に設けたゲージを用いて釘角度測定を行う状態を示す模式図である。
【図１２】図９のフックなしのゲージにおいて、支持脚に角度測定冶具を一体に設けたゲージを用いて釘を支持脚に沿わせた状態を示す模式図である。
【図１３】図３の組立式スライド体付きゲージにおいて、支持脚の脚部自体が角度測定面を構成するように、矩形状に構成された状態を示す模式図である。
【図１４】基板の途中に更に支持脚を設けた円形状分度盤付きゲージを示す模式図である。
【図１５】図１４のゲージの使用例を示す模式図であり、役物等の障害物を回避するのに便利である。
【図１６】図３の組立式スライド体付き分度盤ゲージにおいて、スライド体に嵌着される支持脚が前後にスライドでき、支持脚長を容易に調整でき役物から回避できることを示す。
【図１７】図１６において、支持脚長を容易に調整できる他の例を示す模式図である。
【図１８】図３の組立式スライド体付き分度盤ゲージにおいて、スライド体に嵌着される支持脚が回動自在に構成されたゲージを示す模式図である。
【図１９】図３の組立式スライド体付き分度盤ゲージにおいて、スライド体に嵌着される支持脚が回動自在に構成された他の例のゲージを示す模式図である。
【図２０】図１８、１９のゲージの使用例を説明する模式図である。（イ）図は、支持脚が回動した時に、９０°では問題は起きないが、それ以外ではＡ＜Ｂとなることを示す。（ロ）図は、支持脚を上方に上げることによって、Ａ’＝Ｂ’が保たれ、安定した角度測定が可能となることを示す。
【００６８】
【図２１】図１６〜１９のゲージにおいて、構成されるスライド体の分解図を示す。
【図２２】図４の組立式スライド体付きの支持脚に角度測定冶具一体型分度盤ゲージにおいて、支持脚自体を基板の上下にスライド自在としたゲージを説明する模式図である。
【図２３】図２２のゲージの使用例を示す模式図である。
【図２４】図３の組立式スライド体付き分度盤ゲージの使用例を説明する模式図である。即ち、図示のように、支持脚又はスライド体の移動によりＡ＜ＢではＡ、Ｂ間の平行が保たれない。
【図２５】図２３のゲージは、役物等の回避のためスライド体を移動させると、支持脚の突出長が変更してＡ＝Ｂなるため基板とパチンコ盤とが平行となる。
【図２６】スライド体の移動によりＡ＜Ｂとなると、基板とパチンコ盤の平行が保たれないことを図示している。
【図２７】スライド体の移動により（イ）、（ロ）に示す指針度数目盛に変化が生じるので、Ａ＜Ｂとなって基板とパチンコ盤の平行が保たれないことを図示している。
【図２８】図（イ）は、図１の分度盤付きゲージにおいて、支持脚４、４’間を一定長のロッド３３で連結した構造のゲージを示す模式図である。図（ロ）は、（イ）に示されたゲージの使用例を示す模式図である。
【図２９】角度測定冶具として八角型角度測定冶具の例を示す模式図である。
【図３０】八角型角度測定冶具の使用例を説明する模式図である。
【００６９】
【図３１】パチンコ盤面２２上に植設された釘角度を調整するための、図２９の八角型測定冶具６ａの使用例を説明する模式図である。（イ）図は、垂直面での八角型角度測定冶具の横視図、（ロ）、（ニ）図は水平面での冶具の見下し図、（ハ）図は冶具の正面図であり、（ホ）、（ヘ）、（ト）図は、盤面に植設された釘の状態図を示す。（チ）は八角型測定冶具の拡大斜視図、（リ）は釘軸と釘軸合線とを合わせて釘を角度測定面に沿わせた場合を示す。
【図３２】（Ａ）；（イ）は八角型測定冶具の全体図を示し、（ロ）は冶具正面図、（ハ）、（リ）は垂直面における横視図、（ニ）又は（ハ）、（リ）の左右反転、横視図を示す。（Ｂ）；（ヘ）、（ヲ）は見下し図、（ホ）、（ル）は（ヘ）、（ヲ）の上下反転見上げ図を示す。（ト）、（チ）、（ワ）、（カ）はパチンコ盤面に植設された釘の状態図である。
【図３３】八角型測定冶具付きゲージの使用例を説明する模式図である。（イ）はゲージを水平にセットした場合で、釘をＡ面での測定を示し、（ロ）は冶具の見下し図で、釘をＢ面、Ｄ面での測定を示し、（ハ）は冶具の横視図で、釘をＦ面、Ｈ面での測定を示し、（ニ）は冶具の正面図である。
【図３４】角度の呼称例を示し、（イ）は釘をパチンコ盤面に垂直方向に、（ロ）は釘を水平方向にセットした場合を示す。
【図３５】角度測定冶具の種類１の（形状）と（使用例）を示し、（イ）〜（ト）は楔型冶具であり、（イ）角度測定矩形面付き先端丸型、（ロ）上側一体型、（ハ）上側着脱型、（ニ）下側一体型、（ホ）下側着脱型、（ヘ）両側一体型、（ト）両側着脱型、（チ）上側突起一体型、（リ）上側突起着脱型、（ヌ）下側突起一体型、（ル）下側突起脱型を示す。
【図３６】角度測定冶具の種類２の（形状）と（使用例）を示し、（イ）両側突起一体型、（ロ）両側突起着脱型、（ハ）ピン型、（ニ）右付プレート型、（ホ）左付プレート型、（ヘ）両側付けプレート型、（ト）４角型、（チ）は上（下）面付先細プレート型、（リ）上（下）面付逆先細プレート型、（ヌ）上（下）面付先薄プレート型である。
【図３７】角度測定冶具の種類３の（形状）と（使用例）を示し、（イ）板状型、（ロ）釘軸合線付き、（ハ）片側段差付き、（ニ）両側段差付き、（ホ）当接面に丸み付け、（ヘ）は嵌挿型、（ト）ピン型、（チ）右付けプレート型である。
【図３８】角度測定冶具の種類４の（形状）と（使用例）を示し、（イ）上下面矩形型（着脱自在式、一体式も）、（ロ）板状型（先端丸み型）、（ハ）羽根板型、（ニ）片側へこみ付き（ホ）片側段差付き、（ヘ）両側段差付き、（ト）低壁部着脱式シーソー型、（チ）低壁部着式脱シーソー型、（リ）高壁部着脱式シーソー型である。
【図３９】角度測定冶具の種類５の（形状）と（使用例）を示し、（イ）低壁部一体式シーソー型、（ロ）高壁部一体式シーソー型、（ハ）円錐型、（ニ）逆円錐型、（ホ）円筒型、（ヘ）逆先細三角柱型、（ト）正三角柱型である。
【図４０】角度測定冶具の種類６の（形状）と（使用例）を示し、（イ）〜（ハ）は５角柱型であり、（イ）先細型、（ロ）逆先細型、（ハ）正５角柱型；（ニ）〜（ヘ）は６角柱型であり、（ニ）先細型、（ホ）逆先細型、（ヘ）正６角柱型；（ト）〜（リ）は変則角型であり、（ト）２面へこみ２面計測型、（チ）３面へこみ３面計測型、（リ）４面へこみ４面計測型である。
【００７０】
【図４１】角度測定冶具の種類７の（形状）と（使用例）を示し、（イ）４面へこみ４面計測型、（ロ）５面へこみ５面計測型、（ハ）６面へこみ６面計測型、（ニ）７面へこみ７面計測型、（ホ）８面へこみ８面計測型、（ヘ）４隅角取り２枚組型、（ト）４隅角取り４面計測型、（チ）井形状８面計測型である。
【図４２】図２７のゲージの問題点の対応技術であり、分度盤付きスライド体付きゲージにおいて、分度盤に取り付けた指針アームと連設する支持脚Ａがスリットと支点ピンによって左右に移動でき、且つ２つのスライド体と３つの支持脚を設けることによって、常に基板２とパチンコ盤面２２とを平行にできるゲージを示す模式図である。
【図４３】図２７のゲージの指針回動時のパチンコ盤面と基板との平行ができなくなる問題点の対応する複合技術であり、分度盤付きスライド体付きゲージにおいて、分度盤と基板とは一体でなくて支点ピンによって回動し、更に分度盤とスライド体とを複数の連結ロッド（連結ロッド１〜５）により連結させ、且つ支持脚Ｂが前後にスライド可能され、支持脚Ｂに補正目盛と補正値が設けられた構成とされている。
【図４４】図４３のゲージの支持脚Ｂの拡大図である。
【符号の説明】
【００７１】
１  ゲージ本体
２  基板
３  （半円形）分度盤
３’  （円形分度盤
４、４’、４ａ  支持脚
５、５’  指針アーム
６、６’  角度測定冶具
６ａ  八角型角度測定冶具
７  指針
８  度数目盛
９  当接面
１０  回動ピン（蝶ネジとピンからの構成）
【００７２】
１１  スライド体
１２  ネジ
１３  円状滑り止め孔
１３’半円状  滑り止め孔
１４、１４’  挟持板
１５、１５’  連結部
１６  止めネジ
１７  グリス入れ
１８  釘
１９、１９’角度測定面
２０  フック
【００７３】
２１  角度規制スプリング
２２  パチンコ盤面
２３、２３’  役物
２４、２４ａ  蝶ネジ
２４ｂ  ナット（孔にネジ切りでも）
２５、２５ａ  支点ピン
２６  釘軸合線
２７  釘当接面
２８  段差
２９  スリット
２９ａ  短スリット
２９ｂ  長スリット
３０、３０’  矩形板
【００７４】
３１  脚部
３２、３２’  ピン
３３  ロッド
３４  溝
３５、３５’  突起
３６  ピン
３７、３７’  プレート
３８  先細プレート
３８’  逆細プレート
３８”  先薄プレート
３９  嵌挿部
４０  丸み
【００７５】
４１  へこみ
４２  低壁部
４２’高壁部
４３  ベース板
４４  斜面
４５  角取り
４６  スリット
４８  コイルスプリング
４９  電池
５０  角度デジタル表示
５１  指示印
５２  補正目盛
５３  補正値
【図１】
2008012338.tif 000003
【図２】
2008012338.tif 000004
【図３】
2008012338.tif 000005
【図４】
2008012338.tif 000006
【図５】
2008012338.tif 000007
【図６】
2008012338.tif 000008
【図７】
2008012338.tif 000009
【図８】
2008012338.tif 000010
【図９】
2008012338.tif 000011
【図１０】
2008012338.tif 000012
【図１１】
2008012338.tif 000013
【図１２】
2008012338.tif 000014
【図１３】
2008012338.tif 000015
【図１４】
2008012338.tif 000016
【図１５】
2008012338.tif 000017
【図１６】
2008012338.tif 000018
【図１７】
2008012338.tif 000019
【図１８】
2008012338.tif 000020
【図１９】
2008012338.tif 000021
【図２０】
2008012338.tif 000022
【図２１】
2008012338.tif 000023
【図２２】
2008012338.tif 000024
【図２３】
2008012338.tif 000025
【図２４】
2008012338.tif 000026
【図２５】
2008012338.tif 000027
【図２６】
2008012338.tif 000028
【図２７】
2008012338.tif 000029
【図２８】
2008012338.tif 000030
【図２９】
2008012338.tif 000031
【図３０】
2008012338.tif 000032
【図３１】
2008012338.tif 000033
【図３２】
2008012338.tif 000034
【図３３】
2008012338.tif 000035
【図３４】
2008012338.tif 000036
【図３５】
2008012338.tif 000037
【図３６】
2008012338.tif 000038
【図３７】
2008012338.tif 000039
【図３８】
2008012338.tif 000040
【図３９】
2008012338.tif 000041
【図４０】
2008012338.tif 000042
【図４１】
2008012338.tif 000043
【図４２】
2008012338.tif 000044
【図４３】
2008012338.tif 000045
【図４４】
2008012338.tif 000046